(57)【要約】【課題】ＤＶＤレコーダ等のキーロック装置において、ユーザが急に席を離れないといけない場合でも、瞬時にロック状態に移行することができるようにし、しかも、正規ユーザ以外の者による該当機器の無断操作を有効に防止する。【解決手段】ユーザが、ロックボタン３１を押したときは、通常、ＡＮＤ回路３４からＳＲＦＦ３５の入力端子Ｂに入力される信号は、”１”となるので、ＳＲＦＦ３５の出力端子Ｙから出力される信号が”０”になって、操作部における各キーからの入力信号が無効となり、ロック状態に移行する。また、マイコンが、ユーザにより入力されたパスワードと照合用のパスワードとが等しいと判定した場合に限り、ＳＲＦＦ３５の入力端子Ａに”１”を入力して、ＳＲＦＦ３５の出力端子Ｙから出力される信号が”１”となり、上記のロック状態が解除される。従って、瞬時にロック状態に移行し、しかも、キーの無断操作を有効に防止できる。【選択図】図３
2006216192.tif 000002
【特許請求の範囲】
【請求項１】
録画、再生等の指示を入力するための各種キーから構成される操作部と、
前記操作部における各キーからの入力信号に応じて、録画、再生等の各種動作を実行するように制御する制御手段と、
前記各キーからの入力信号が前記制御手段に入力されるのを防ぐ（ロック状態にする）ロック手段と、
前記ロック状態を解除するためのパスワードを入力するためのパスワード入力手段と、
前記パスワード入力手段により入力されたパスワードが、正しいか否かをチェックするための照合用のパスワードを記憶する記憶手段と、
前記パスワード入力手段により入力されたパスワードが、前記記憶手段に記憶された照合用のパスワードと等しいか否かを判定する判定手段とを備え、
前記制御手段は、前記判定手段による判定の結果、前記入力されたパスワードが照合用のパスワードと等しいときに、前記ロック状態を解除するＤＶＤ（Digital Versatile Disc）レコーダにおいて、
前記ロック手段は、プッシュスイッチタイプのロックボタン、ＳＲフリップフロップ回路、ＮＯＴ回路、及び第１のＡＮＤ回路より構成されるロック回路と、このロック回路からの出力信号が入力される第２のＡＮＤ回路とを有し、
前記ＳＲフリップフロップ回路は、第１の入力端子と第２の入力端子と出力端子とを持ち、前記第２の入力端子に”１”が入力されると、前記第１の入力端子に”１”が入力されるまで、前記出力端子から”０”の信号を出力し続け、前記第１の入力端子に”１”が入力されると、前記第２の入力端子に”１”が入力されるまで、前記出力端子から”１”の信号を出力し続け、
前記制御手段は、通常は、前記ＳＲフリップフロップ回路の第１の入力端子に”０”を出力し、前記判定手段により前記入力されたパスワードが照合用のパスワードと等しいと判定された直後に限り、前記ＳＲフリップフロップ回路の第１の入力端子に”１”を出力し、
前記ＮＯＴ回路には、前記制御手段から前記ＳＲフリップフロップ回路の第１の入力端子に出力される信号と同じ信号が入力され、
前記第１のＡＮＤ回路の一方の入力端子には、前記ＮＯＴ回路からの出力信号が入力され、もう一方の入力端子には、前記ロックボタンが押されている間は、”１”が入力され、前記ロックボタンが押されていないときは、”０”が入力され、
前記第１のＡＮＤ回路からの出力信号は、前記ＳＲフリップフロップ回路の第２の入力端子に入力され、
前記第２のＡＮＤ回路の一方の入力端子には、前記ＳＲフリップフロップ回路から出力される信号が入力され、もう一方の入力端子には、前記操作部における各キーからの入力信号が入力され、
前記ＳＲフリップフロップ回路から出力される信号が”０”のときに、前記操作部における各キーからの入力信号を無効にし、前記ＳＲフリップフロップ回路から出力される信号が”１”のときに、前記操作部における各キーからの入力信号を有効にすることにより、前記ロック手段によるロック機能を実現すると共に、
前記ＮＯＴ回路と前記第１のＡＮＤ回路とを用いて、前記ＳＲフリップフロップ回路の第１の入力端子と第２の入力端子とに、同時に”１”が入力されないようにしたことを特徴とするＤＶＤレコーダ。
【請求項２】
操作部における各キーからの入力信号が制御部に入力されるのを防ぐ（ロック状態にする）ロック手段を備え、
ユーザ認証が成功したときに、前記ロック状態を解除するキーロック装置において、
前記ロック手段は、プッシュスイッチタイプのロックボタンを有し、ユーザにより前記ロックボタンが押されたときに、前記ロック状態に移行することを特徴とするキーロック装置。
【請求項３】
前記ロック手段は、ＳＲフリップフロップ回路をさらに有し、前記ＳＲフリップフロップ回路から出力される信号に応じて、前記ロック状態に移行するか、前記ロック状態を解除するかを切り替えることを特徴とする請求項２に記載のキーロック装置。
【請求項４】
前記ロック手段は、ＮＯＴ回路とＡＮＤ回路をさらに有し、前記ＮＯＴ回路と前記第１のＡＮＤ回路とを用いて、前記ＳＲフリップフロップ回路の第１の入力端子と第２の入力端子とに、同時に”１”が入力されないようにしたことを特徴とする請求項３に記載のキーロック装置。
【発明の詳細な説明】
【技術分野】
【０００１】
本発明は、録画、再生等の各種操作キーからの入力をロック状態にするためのキーロック装置、及びこのキーロック装置を有するＤＶＤレコーダ等のＡＶ（Audio-Visual）機器に関する。
【背景技術】
【０００２】
従来、ＤＶＤレコーダ等のＡＶ機器において、その機器の正規ユーザが不在の場合等において、正規ユーザ以外の者が、録画、録画停止、ディスク等の記録媒体の持ち出しや無断再生等の行為を行うのを防止するために、トレイ開閉、録画、再生等の操作キーをロック状態にすることができるようにしたものがある。この種のＡＶ機器では、一般的に、ロックキー（ホールドキー）を用いて、ロック状態とロック解除状態との切り替えを行うようにしたものが多い。しかし、このような切り替え方法では、ロック状態への移行だけではなく、ロック状態からの解除も容易であるため、正規ユーザ以外の者による該当機器の無断操作を有効に防止することはできなかった。
【０００３】
そこで、パスワードの入力によりユーザ認証を行って、ユーザ認証が成功した場合に限り、ロック状態を解除するようにしたキーロック装置が知られている（例えば、特許文献１参照）。
【０００４】
ところが、上記特許文献１に示されるキーロック装置では、ロック状態に移行するときにも、パスワード入力によるユーザ認証が必要になるため、ロック状態への移行に手間がかかり、ユーザが急に席を離れないといけない場合には、操作キーをロック状態にすることが難しいという問題があった。
【０００５】
ところで、情報記録再生装置の分野において、予め記録した情報信号を第三者により誤消去されることや、誤って視聴者制限処理をされることを防止することを目的として、マスタ暗証番号の照合結果に基づいて、消去禁止等の個別操作の実行の許可を行うようにしたものが知られている（特許文献２参照）。また、情報記録再生装置の分野において、操作キーのロックと解除を必要に応じて手動で行うことができるようにすると共に、シンクロ記録の設定の場合には、所定の動作に関連付けて自動的にロック状態を解除することができるようにしたものが知られている（特許文献３参照）。しかし、特許文献２及び３に示される発明では、上記の問題を解決することはできない。
【特許文献１】特開２０００−１６３８２７号公報
【特許文献２】特開２００１−３５１３２０号公報
【特許文献３】特開２００２−５０１０６号公報
【発明の開示】
【発明が解決しようとする課題】
【０００６】
本発明は、上記の問題を解決するためになされたものであり、ユーザが急に席を離れないといけない場合でも、瞬時にロック状態に移行することができ、しかも、正規ユーザ以外の者による該当機器の無断操作を有効に防止することが可能なＤＶＤレコーダ、及びキーロック装置を提供することを目的とする。
【課題を解決するための手段】
【０００７】
上記目的を達成するために請求項１の発明は、録画、再生等の指示を入力するための各種キーから構成される操作部と、前記操作部における各キーからの入力信号に応じて、録画、再生等の各種動作を実行するように制御する制御手段と、前記各キーからの入力信号が前記制御手段に入力されるのを防ぐ（ロック状態にする）ロック手段と、前記ロック状態を解除するためのパスワードを入力するためのパスワード入力手段と、前記パスワード入力手段により入力されたパスワードが、正しいか否かをチェックするための照合用のパスワードを記憶する記憶手段と、前記パスワード入力手段により入力されたパスワードが、前記記憶手段に記憶された照合用のパスワードと等しいか否かを判定する判定手段とを備え、前記制御手段は、前記判定手段による判定の結果、前記入力されたパスワードが照合用のパスワードと等しいときに、前記ロック状態を解除するＤＶＤ（Digital Versatile Disc）レコーダにおいて、前記ロック手段は、プッシュスイッチタイプのロックボタン、ＳＲフリップフロップ回路、ＮＯＴ回路、及び第１のＡＮＤ回路より構成されるロック回路と、このロック回路からの出力信号が入力される第２のＡＮＤ回路とを有し、前記ＳＲフリップフロップ回路は、第１の入力端子と第２の入力端子と出力端子とを持ち、前記第２の入力端子に”１”が入力されると、前記第１の入力端子に”１”が入力されるまで、前記出力端子から”０”の信号を出力し続け、前記第１の入力端子に”１”が入力されると、前記第２の入力端子に”１”が入力されるまで、前記出力端子から”１”の信号を出力し続け、前記制御手段は、通常は、前記ＳＲフリップフロップ回路の第１の入力端子に”０”を出力し、前記判定手段により前記入力されたパスワードが照合用のパスワードと等しいと判定された直後に限り、前記ＳＲフリップフロップ回路の第１の入力端子に”１”を出力し、前記ＮＯＴ回路には、前記制御手段から前記ＳＲフリップフロップ回路の第１の入力端子に出力される信号と同じ信号が入力され、前記第１のＡＮＤ回路の一方の入力端子には、前記ＮＯＴ回路からの出力信号が入力され、もう一方の入力端子には、前記ロックボタンが押されている間は、”１”が入力され、前記ロックボタンが押されていないときは、”０”が入力され、前記第１のＡＮＤ回路からの出力信号は、前記ＳＲフリップフロップ回路の第２の入力端子に入力され、前記第２のＡＮＤ回路の一方の入力端子には、前記ＳＲフリップフロップ回路から出力される信号が入力され、もう一方の入力端子には、前記操作部における各キーからの入力信号が入力され、前記ＳＲフリップフロップ回路から出力される信号が”０”のときに、前記操作部における各キーからの入力信号を無効にし、前記ＳＲフリップフロップ回路から出力される信号が”１”のときに、前記操作部における各キーからの入力信号を有効にすることにより、前記ロック手段によるロック機能を実現すると共に、前記ＮＯＴ回路と前記第１のＡＮＤ回路とを用いて、前記ＳＲフリップフロップ回路の第１の入力端子と第２の入力端子とに、同時に”１”が入力されないようにしたものである。
【０００８】
請求項２の発明は、操作部における各キーからの入力信号が制御部に入力されるのを防ぐ（ロック状態にする）ロック手段を備え、ユーザ認証が成功したときに、前記ロック状態を解除するキーロック装置において、前記ロック手段は、プッシュスイッチタイプのロックボタンを有し、ユーザにより前記ロックボタンが押されたときに、前記ロック状態に移行するものである。
【０００９】
請求項３の発明は、請求項２に記載のキーロック装置において、前記ロック手段は、ＳＲフリップフロップ回路をさらに有し、前記ＳＲフリップフロップ回路から出力される信号に応じて、前記ロック状態に移行するか、前記ロック状態を解除するかを切り替えるものである。
【００１０】
請求項４の発明は、請求項３に記載のキーロック装置において、前記ロック手段は、ＮＯＴ回路とＡＮＤ回路をさらに有し、前記ＮＯＴ回路と前記第１のＡＮＤ回路とを用いて、前記ＳＲフリップフロップ回路の第１の入力端子と第２の入力端子とに、同時に”１”が入力されないようにしたものである。
【発明の効果】
【００１１】
請求項１の発明によれば、第１のＡＮＤ回路の一方の入力端子にＮＯＴ回路から入力される信号は、通常、”１”となる。従って、ユーザが、ロックボタンを押して、第１のＡＮＤ回路のもう一方の入力端子に”１”が入力されたときは、通常、第１のＡＮＤ回路からＳＲフリップフロップ回路の第２の入力端子に入力される信号は、”１”となり、ＳＲフリップフロップ回路の出力端子から出力される信号は”０”になるので、操作部における各キーからの入力信号が無効となり、ロック状態に移行する。従って、ユーザが、急に席を離れないといけない場合でも、ロックボタンを押すだけの簡単な操作で、瞬時にロック状態に移行させることができる。
【００１２】
また、ユーザにより入力されたパスワードが照合用のパスワードと等しいと判定された場合に限り、ＳＲフリップフロップ回路の第１の入力端子に”１”が入力されて、ＳＲフリップフロップ回路の出力端子から出力される信号が”１”となり、上記のロック状態が解除されるので、正規ユーザ以外の者による該当機器の無断操作を有効に防止することができる。
【００１３】
さらにまた、一般に、ＳＲフリップフロップ回路は、２つの入力端子に同時に”１”が入力されると、強制不安定状態となるので、２つの入力端子に同時に”１”を入力することは禁止されており、このため、従来のキーロック装置では、ユーザ入力に伴う入力信号が直接入力される位置にＳＲフリップフロップ回路を配することはできなかったが、請求項１の発明によれば、ＮＯＴ回路とＡＮＤ回路とを用いて、ＳＲフリップフロップ回路の第１の入力端子に”１”が入力されるときには、ＳＲフリップフロップ回路の第２の入力端子に必ず”０”が入力されるようにした。これにより、ユーザが、正しいパスワードを入力するのと同時に、ロックボタンを押した場合でも、ＳＲフリップフロップ回路の２つの入力端子に同時に”１”が入力されることを防ぐことができるので、安価なＳＲフリップフロップ回路を用いてロック回路を作成することができ、装置全体の製造コストを削減することができる。
【００１４】
請求項２の発明によれば、ユーザによりプッシュスイッチタイプのロックボタンが押されたときに、ロック状態に移行するようにしたことにより、ユーザが、急に席を離れないといけない場合でも、瞬時にロック状態に移行させることができる。
【００１５】
請求項３の発明によれば、安価なＳＲフリップフロップ回路を用いて、ロック状態に移行するか、前記ロック状態を解除するかを切り替えるようにしたことにより、キーロック装置の製造コストを削減することができる。
【００１６】
請求項４の発明によれば、ＮＯＴ回路と第１のＡＮＤ回路とを用いて、ＳＲフリップフロップ回路の第１の入力端子と第２の入力端子とに、同時に”１”が入力されないようにしたことにより、上記のＳＲフリップフロップ回路を用いてキーロック装置を作成する場合に生じる問題を解消することができるので、安価なＳＲフリップフロップ回路を用いてキーロック装置を作成することができる。
【発明を実施するための最良の形態】
【００１７】
本発明を実施するための最良の形態について図面を参照して説明する。本発明は、録画、再生等の各種操作キーからの入力をロック状態にするためのキーロック装置、及びこのキーロック装置を有するＤＶＤレコーダ等のＡＶ（Audio-Visual）機器に関する。なお、以下に記載した実施形態は、本発明を網羅するものではなく、本発明は、下記の形態だけに限定されない。
【００１８】
図１は、本実施形態によるＤＶＤレコーダの電気的ブロック構成を示す。このＤＶＤレコーダ１は、トレイ（図２参照）に装着されたＤＶＤ２を回転駆動するスピンドルモータ３、ＤＶＤ２に記録されている情報をＲＦ信号の形式で出力する光ピックアップ４、光ピックアップ４から出力されたＲＦ信号の２値化処理等を行うＲＦ回路５、及びＲＦ回路５による処理後のデータに対してデータ復調や誤り訂正等のデコード処理を施すデータデコーダ６を備えている。また、ＤＶＤレコーダ１は、データデコーダ６でデコード処理が施されたデータを主映像圧縮データ、副映像圧縮データ及び音声圧縮データに振り分けるデマルチプレクサ７、主映像圧縮データを復号するビデオデコーダ８、副映像圧縮データを復号して字幕等を再生するサブピクチャデコーダ９、及び音声圧縮データを復号するオーディオデコーダ１０を備えている。
【００１９】
さらにまた、ＤＶＤレコーダ１は、ビデオメモリ１１、サブピクチャメモリ１２、加算器１３、Ｄ／Ａ変換処理部１４、ビデオ出力端子１５、及びオーディオ出力端子１６を備えている。ビデオメモリ１１は、ビデオデコーダ８により再生された最新の主映像等を記憶し、また、サブピクチャメモリ１２は、サブピクチャデコーダ９により再生された過去数回分の字幕を画面表示単位毎に記憶する。加算器１３は、サブピクチャデコーダ９又はサブピクチャメモリ１２から送られた字幕等の副映像とビデオデコーダ８又はビデオメモリ１１から送られた主映像とを合成する。Ｄ／Ａ変換処理部１４は、加算器１３により合成された映像データや、オーディオデコーダ１０により復号された音声データをアナログ信号に変換する。また、ビデオ出力端子１５とオーディオ出力端子１６とは、それぞれＤ／Ａ変換処理部１４から送られた映像信号と音声信号とを出力する。
【００２０】
また、ＤＶＤレコーダ１は、装置全体の制御を行うマイクロコンピュータ（以下、マイコンと略す）２０（制御手段、判定手段）、マイコン２０に録画、再生等の指示を入力するための各種キーから構成される操作部２２、操作部２２における各キーからの入力信号がマイコンに入力されるのを防ぐ（ロック状態にする）機能を有するロック部１７（ロック手段、キーロック装置）、ロック部１７によるロック状態の解除用のパスワードを入力するためのパスワード入力キー１８（パスワード入力手段）、パスワード入力キー１８を用いてユーザにより入力されたパスワードとの照合用のパスワード１９等の各種の設定データ等を格納したメモリ２１（記憶手段）、及び各種のメッセージを表示する表示部２３を備えている。
【００２１】
図２は、上記のＤＶＤレコーダ１と、このＤＶＤレコーダ１に接続されたテレビジョン受像機３０（以下、テレビと略す）の前面を示す。図に示されるように、ＤＶＤレコーダ１の前面には、上記のパスワード入力キー１８、操作部２２、表示部２３に加えて、ＤＶＤ２を載置するためのトレイ５１が配設されている。上記の操作部２２には、録画を指示するための録画キー５２、ＤＶＤ２に記録されている映像等の再生を指示するための再生キー５３、トレイ５１の開閉（トレイアウト及びトレイイン）を指示するための開閉キー５４等の各種操作用のキーが含まれている。
【００２２】
図３は、図１中のロック部１７の詳細構成を示す。ロック部１７は、プッシュスイッチタイプのロックボタン３１、ＳＲフリップフロップ回路（ＳＲＦＦ）３５、ＮＯＴ回路３３、及びＡＮＤ回路３４（第１のＡＮＤ回路）より構成されるロック回路３０と、このロック回路３０からの出力信号が入力されるＡＮＤ回路３６（第２のＡＮＤ回路）とから構成されている。
【００２３】
上記のＳＲＦＦ３５は、入力端子Ａ（第１の入力端子）と入力端子Ｂ（第２の入力端子）と出力端子Ｙとを持つ。マイコン２０は、通常は、ＳＲＦＦ３５の入力端子Ａに”０”を出力し、パスワード入力キー１８を用いてユーザにより入力されたパスワードがメモリ２１に記憶された照合用のパスワード１９と等しいと判定した直後に限り、入力端子Ａに”１”を出力する。また、上記のＮＯＴ回路３３にも、マイコン２０からＳＲＦＦ３５の入力端子Ａに出力される信号と同じ信号が入力される。ＡＮＤ回路３４の一方の入力端子には、ＮＯＴ回路３３からの出力信号が入力され、もう一方の入力端子には、ロックボタン３１が押されている間は、”１”が入力され、ロックボタン３１が押されていないときは、”０”が入力される。このＡＮＤ回路３４からの出力信号は、ＳＲＦＦ３５の入力端子Ｂに入力される。
【００２４】
また、ＡＮＤ回路３６の一方の入力端子には、ＳＲＦＦ３５の出力端子Ｙから出力される信号が入力され、ＡＮＤ回路３６のもう一方の入力端子には、操作部２２における各キーからの入力信号が入力される。従って、ＳＲＦＦ３５から出力される信号が”０”のときに、操作部２２における各キーからの入力信号が無効となり（ロック状態となり）、ＳＲＦＦ３５から出力される信号が”１”のときに、操作部２２における各キーからの入力信号が有効となる（ロック状態が解除される）。
【００２５】
上記のＳＲＦＦ３５は、入力端子Ｂに”１”が入力されると、出力端子Ｙから”０”の信号を出力し、入力端子Ａに”１”が入力されると、出力端子Ｙから”１”の信号を出力する。また、図４に示されるように、ＳＲＦＦ３５は、入力端子Ａと入力端子Ｂの両方に”０”の信号が入力されたときには、直前に入力端子Ａ又は入力端子Ｂから”１”が入力されたときと同じ信号を出力する。具体的には、直前にロックボタン３１が押されて、入力端子Ｂから”１”が入力され、出力端子Ｙから”０”の信号を出力していた場合には、出力端子Ｙから”０”の信号を出力し続ける。また、直前にユーザにより正しいパスワードが入力されて、入力端子Ａから”１”が入力され、出力端子Ｙから”１”の信号を出力していた場合には、出力端子Ｙから”１”の信号を出力し続ける。従って、ＳＲＦＦ３５は、入力端子Ｂに一度”１”が入力されると、入力端子Ａに”１”が入力されるまで、出力端子Ｙから”０”の信号を出力し続け、入力端子Ａに一度”１”が入力されると、入力端子Ｂに”１”が入力されるまで、出力端子Ｙから”１”の信号を出力し続ける。
【００２６】
上記構成においては、ユーザにより正しいパスワードが入力された直後以外は、マイコン２０から入力端子Ａへの入力信号Ａ’は、”０”となるので、ＡＮＤ回路３４の一方の入力端子にＮＯＴ回路３３から入力される信号は、通常、”１”となる。従って、ユーザが、ロックボタン３１を押して、ＡＮＤ回路３４のもう一方の入力端子に”１”が入力されたときは、通常、ＡＮＤ回路３４からＳＲＦＦ３５の入力端子Ｂに入力される信号は、”１”となるので、図４に示されるように、ＳＲＦＦ３５の出力端子Ｙから出力される信号が”０”になって、操作部２２における各キーからの入力信号が無効となり、ロック状態に移行する。従って、ユーザが、急に席を離れないといけない場合でも、ロックボタン３１を押すだけの簡単な操作で、瞬時にロック状態に移行させることができる。
【００２７】
また、マイコン２０が、パスワード入力キー１８を用いてユーザにより入力されたパスワードと照合用のパスワードとが等しいと判定した場合に限り、ＳＲＦＦ３５の入力端子Ａに”１”を入力して、ＳＲＦＦ３５の出力端子Ｙから出力される信号が”１”となり、上記のロック状態が解除されるので、正規ユーザ以外の者によるＤＶＤレコーダ１の無断操作を有効に防止することができる。この無断操作には、ＤＶＤ２に対しての録画、録画停止、ＤＶＤ２自体の持ち出し、ＤＶＤ２の無断再生等の操作が含まれる。
【００２８】
また、図に示される構成においては、マイコン２０からＳＲＦＦ３５の入力端子Ａに出力される信号が”１”のときには、ＮＯＴ回路３３からＡＮＤ回路３４に出力される信号は”０”となり、ＡＮＤ回路３４から入力端子Ｂに出力される信号は、必ず”０”になるので、ＳＲＦＦ３５の入力端子Ａと入力端子Ｂとに、同時に”１”が入力されないようにすることができる。一般に、ＳＲＦＦは、２つの入力端子に同時に”１”が入力されると、強制不安定状態となるので、図４に示されるように、２つの入力端子に同時に”１”を入力することは禁止されている。このため、従来のキーロック装置では、ユーザ入力に伴う入力信号が直接入力される位置にＳＲフリップフロップ回路を配することはできなかったが、上記のように、図３に示されるロック部１７によれば、ＮＯＴ回路３３とＡＮＤ回路３４とを用いて、ＳＲＦＦ３５の入力端子Ａに”１”が入力されるときには、ＳＲＦＦ３５の入力端子Ｂに必ず”０”が入力されるようにした。これにより、ユーザが、正しいパスワードを入力するのと同時に、ロックボタン３１を押して、図５に示されるように、入力信号Ａ’と入力信号Ｂ’とを、両方とも”１”にした場合でも、ＳＲフリップフロップ回路の２つの入力端子Ａ，Ｂに同時に”１”が入力されることを防ぐことができるので、一般にユーザ入力の直後に用いることの難しい安価なＳＲフリップフロップ回路を用いて、ロック回路を作成することができ、装置全体の製造コストを削減することができる。
【００２９】
次に、図６を参照して、上記のロック部１７を有するＤＶＤレコーダ１におけるロック状態への移行処理とロック状態の解除処理について説明する。ユーザが、ロックボタン３１を押して（Ｓ１でＹＥＳ）、ＳＲＦＦ３５の入力端子Ｂへの入力信号が”１”になると、図４に示されるように、ＳＲＦＦ３５の出力端子Ｙからの出力信号、すなわちロック回路３０からの出力信号が、”０”になる（Ｓ２）。これにより、操作部２２における各キーからの入力信号がロックされる（Ｓ３）。また、ユーザが、パスワード入力キー１８を用いてパスワードを入力すると、マイコン２０は、入力されたパスワードとメモリ２１に格納されたパスワード１９とを照合して、ユーザ認証に成功した場合には（Ｓ４でＹＥＳ）、ＳＲＦＦ３５の入力端子Ａに”１”を出力する。これにより、ＳＲＦＦ３５の出力端子Ｙからの出力信号、すなわちロック回路３０からの出力信号が、”１”になるので（Ｓ５）、操作部２２における各キーからの入力信号のロック状態が解除される（Ｓ６）。
【００３０】
なお、本発明は、上記実施形態に限られるものではなく、様々な変形が可能である。例えば、上記の実施形態では、パスワードによりユーザ認証を行ったが、ユーザ認証の方法は、これに限られず、例えば、指紋による認証や網膜による認証であってもよい。また、上記実施形態では、本発明のキーロック装置（ロック部１７）をＤＶＤレコーダに組み込んだ場合の例を示したが、本発明のキーロック装置が組み込まれるＡＶ機器は、これに限られず、例えば、ハードディスクレコーダやディジタルビデオテープレコーダであってもよい。
【図面の簡単な説明】
【００３１】
【図１】本発明の一実施形態によるＤＶＤレコーダの電気的ブロック構成図。
【図２】上記ＤＶＤレコーダと、このＤＶＤレコーダに接続されたテレビジョン受像機の正面図。
【図３】図１中のロック部の詳細構成を示す回路図。
【図４】図３中のＳＲＦＦの本来の真理値表。
【図５】図３中の入力信号Ａ’及び入力信号Ｂ’の値と上記ＳＲＦＦの出力端子Ｙからの出力信号の値との関係を示す真理値表。
【図６】上記ＤＶＤレコーダにおけるロック状態への移行処理とロック状態の解除処理を示すフローチャート。
【符号の説明】
【００３２】
１    ＤＶＤレコーダ
１７  ロック部（ロック手段、キーロック装置）
１８  パスワード入力キー（パスワード入力手段）
１９  パスワード
２０  マイコン（制御手段、判定手段）
２１  メモリ（記憶手段）
２２  操作部
３０  ロック回路
３１  ロックボタン
３３  ＮＯＴ回路
３４  ＡＮＤ回路（第１のＡＮＤ回路）
３５  ＳＲＦＦ（ＳＲフリップフロップ回路）
３６  ＡＮＤ回路（第２のＡＮＤ回路）
Ａ    入力端子（第１の入力端子）
Ｂ    入力端子（第２の入力端子）
Ｙ    出力端子
【図１】
2006216192.tif 000003
【図２】
2006216192.tif 000004
【図３】
2006216192.tif 000005
【図４】
2006216192.tif 000006
【図５】
2006216192.tif 000007
【図６】
2006216192.tif 000008